(57)【要約】【課題】画像音声記録再生装置や画像音声再生装置などのＡＶ機器の部品交換時期を、使用者が容易に把握できるようにする。【解決手段】複数のＡＶ機器（ＢＤレコーダ／プレーヤ１２、Ｄ−ＶＨＳレコーダ／プレーヤ１３、ＨＤＤレコーダ／プレーヤ１４）を制御するテレビジョン受像機（ＴＶ１１）が、ＩＥＥＥ１３９４規格に準拠したプロトコルを利用して、各レコーダ／プレーヤの記録状態又は再生状態を監視し、記録状態又は再生状態にある動作時間を計時して、各レコーダ／プレーヤの使用状態の累計時間を保持、管理する。そして、各レコーダ／プレーヤの使用状態の累計時間が所定の設定値を超えた場合には、例えばメンテナンスを促すとともに、そのレコーダ／プレーヤの使用状態の累計時間が所定の設定値を超えた旨を知らせるメッセージを表示画面上に表示する。【選択図】図１
2008146768.tif 000002
【特許請求の範囲】
【請求項１】
ＩＥＥＥ１３９４規格に準拠したデジタルインタフェースと、
ＩＥＥＥ１３９４規格に準拠したプロトコルを利用して、前記デジタルインタフェースを介して１つ以上接続された、記録動作及び再生動作のうちの少なくとも一方を行う装置を接続装置として識別するとともに、前記接続装置が、記録動作及び再生動作のうちの少なくとも一方の動作を行っている状態である記録再生状態を、前記接続装置ごとに判定する動作状態判定手段と、
前記動作状態判定手段が前記接続装置ごとに前記記録再生状態と判定した時間を、前記接続装置がそれぞれ最初に記録動作及び再生動作のうちの少なくとも一方を行ったときから累計し、この累計した時間を累計時間として保持する累計時間計算手段と、
あらかじめ前記接続装置ごとに設定されている所定時間を前記累計時間が超えたか否かを、前記接続装置ごとに検出する検出手段と、
前記接続装置のいずれかの前記累計時間が前記所定時間を超えたことを前記検出手段が検出した場合は、検出された前記接続装置の前記累計時間が前記所定時間を超えた旨を示す情報を出力する情報出力手段とを、
有する制御装置。
【発明の詳細な説明】
【技術分野】
【０００１】
本発明は、ＩＥＥＥ１３９４インタフェースを介して接続された被制御装置の制御を行うＩＥＥＥ１３９４規格に準拠した制御装置に関する。
【背景技術】
【０００２】
従来、画像音声情報（オーディオ情報及びビデオ情報）を記録したり再生したりすることが可能な画像音声記録再生装置や、画像音声情報の再生のみが可能な画像音声情報再生が存在している。これらの画像音声記録再生装置や画像音声再生装置は、ビデオヘッドなどを始めとする寿命（部品交換時期）が数千時間の部品を具備しており、定期的なメンテナンスや部品交換が必要である。
【０００３】
このような画像音声記録再生装置や画像音声再生装置を始めとするＡＶ（Audio-Visual）機器は、単に時間の経過に従って部品交換時期が訪れるというわけではなく、その使用環境に応じて交換時期が決まってくる。すなわち、ＡＶ機器は、その使用頻度に応じてメンテナンスの頻度や時期が大きく異なってくる。メンテナンスの時期を予測する場合には、家庭用機器においては使用者が自ら使用時間を計測したり、使用者が部品を調べてメンテナンスの必要性を確認したりする必要がある。一方、一部の業務用機器には、機器ごとに時間積算メータが装備されており、この時間積算メータの値を随時確認することによって、使用状態（記録状態又は再生状態）の累計時間を把握することが可能なものも存在する。
【０００４】
また、下記の特許文献１には、ＩＥＥＥ１３９４インタフェースを介して複数のＡＶ機器が接続されたＡＶシステムが開示されている。このＡＶシステムでは、テレビジョン受像機がコントローラとして機能し、各ＡＶ機器（ターゲット）のメディア装着状態、メディアコンテンツ、コンテンツの記録アドレス、空き領域などを管理し、利用者の指示に従って、こうした情報をテレビジョン受像機の表示画面に表示できるように構成されている。
【特許文献１】特開平９−１２０６６６号公報（図１、図８）
【発明の開示】
【発明が解決しようとする課題】
【０００５】
しかしながら、従来の技術によれば、一般的な使用者が、ＡＶ機器を使用するたびにその使用状態の累計時間を計測し、さらに積算して記録保存することは困難である。したがって、一般的な使用者は、部品交換時期などのメンテナンス時期を把握できず、適切なメンテナンス時期を逸してしまい、その結果、ＡＶ機器の記録再生機能に障害又は故障が発生するという事態が起こり得る。
【０００６】
また、各ＡＶ機器に時間積算メータを設けた場合には、使用者が時間積算メータの値を随時確認する必要があるという問題がある。また、各ＡＶ機器に時間積算メータを設ける必要があるので、各ＡＶ機器のコストアップに直結してしまうという問題がある。また、特許文献１に開示されている技術においては、利用者の要望に応じて、各ＡＶ機器の現在の状態を取得し表示することは可能ではあるが、コントローラが時間を計測し、各ターゲットのメンテナンス時期の管理を行うことに関しては、一切開示及び示唆されていない。
【０００７】
本発明は、上記の問題を解決するため、通常の使用環境において、画像音声記録再生装置や画像音声再生装置などのＡＶ機器の部品交換時期を使用者が容易に把握できるようにする制御装置を提供することを目的とする。
【課題を解決するための手段】
【０００８】
上記の目的を達成するため、本発明によれば、ＩＥＥＥ１３９４規格に準拠したデジタルインタフェースと、
ＩＥＥＥ１３９４規格に準拠したプロトコルを利用して、前記デジタルインタフェースを介して１つ以上接続された、記録動作及び再生動作のうちの少なくとも一方を行う装置を接続装置として識別するとともに、前記接続装置が、記録動作及び再生動作のうちの少なくとも一方の動作を行っている状態である記録再生状態を、前記接続装置ごとに判定する動作状態判定手段と、
前記動作状態判定手段が前記接続装置ごとに前記記録再生状態と判定した時間を、前記接続装置がそれぞれ最初に記録動作及び再生動作のうちの少なくとも一方を行ったときから累計し、この累計した時間を累計時間として保持する累計時間計算手段と、
あらかじめ前記接続装置ごとに設定されている所定時間を前記累計時間が超えたか否かを、前記接続装置ごとに検出する検出手段と、
前記接続装置のいずれかの前記累計時間が前記所定時間を超えたことを前記検出手段が検出した場合は、検出された前記接続装置の前記累計時間が前記所定時間を超えた旨を示す情報を出力する情報出力手段とを、
有する制御装置が提供される。
【発明の効果】
【０００９】
本発明は上記の構成を有し、通常の使用環境において、使用者が画像音声記録再生装置や画像音声再生装置の部品交換時期を使用者が容易に把握できるようになるという効果を有しており、特に、使用者が重要な部品の交換時期を逸してしまい、画像音声記録再生装置や画像音声再生装置の記録再生機能に障害又は故障が生じてしまうことを回避できるようになるという効果を有している。
【発明を実施するための最良の形態】
【００１０】
以下、図面を参照しながら、本発明の第１及び第２の実施の形態について説明する。
【００１１】
＜第１の実施の形態＞
まず、本発明の第１の実施の形態について説明する。図１には、本発明の実施の形態における画像音声記録再生システムが図示されている。図１に図示されている画像音声記録再生システムは、テレビジョン受像機（以下、ＴＶと記載）１１、ブルーレイ（登録商標）ディスク（ＢＤ：Blu-ray Disc）を記録再生メディアとして使用するブルーレイディスクレコーダ／プレーヤ（以下、ＢＤレコーダ／プレーヤと記載）１２、Ｄ−ＶＨＳ（Data Video Home System）を記録メディアとして使用するＤ−ＶＨＳレコーダ／プレーヤ１３、ハードディスクを記録メディアとして使用するＨＤハードディスクドライブレコーダ／プレーヤ（以下、ＨＤＤレコーダ／プレーヤと記載）１４により構成されている。
【００１２】
図１において、ＴＶ１１とＢＤレコーダ／プレーヤ１２とはＩＥＥＥ１３９４インタフェース１５で接続されており、ＴＶ１１とＤ−ＶＨＳレコーダ／プレーヤ１３とはＩＥＥＥ１３９４インタフェース１６で接続されており、Ｄ−ＶＨＳレコーダ／プレーヤ１３とＨＤＤレコーダ／プレーヤ１４とはＩＥＥＥ１３９４インタフェース１７で接続されている。なお、ここでは、ＴＶ１１は制御装置（コントローラ）として機能し、ＢＤレコーダ／プレーヤ１２、Ｄ−ＶＨＳレコーダ／プレーヤ１３、ＨＤＤレコーダ／プレーヤ１４は被制御装置（ターゲット）として機能する。
【００１３】
また、ここでは、ＢＤレコーダ／プレーヤ１２、Ｄ−ＶＨＳレコーダ／プレーヤ１３、ＨＤＤレコーダ／プレーヤ１４はそれぞれ、映像音声情報を含むＭＰＥＧ２−ＴＳ（トランスポートストリーム）をそれぞれのメディアに記録／再生する機能を有しているが、記録及び再生のどちらか一方の機能（すなわち、レコーダとしての機能又はプレーヤとしての機能）のみを有していてもよい。
【００１４】
また、ＢＤレコーダ／プレーヤ１２、Ｄ−ＶＨＳレコーダ／プレーヤ１３、ＨＤＤレコーダ／プレーヤ１４は、ＩＥＥＥ１３９４インタフェース１５、１６、１７を介して、ＭＰＥＧ２−ＴＳをそれぞれ相互に送受信する機能を有し、それぞれにおいて再生されたＭＰＥＧ２−ＴＳは、ＴＶ１１に実装されているＭＰＥＧ２デコーダ（図示省略）にアイソクロナス伝送で送信され、ＴＶ１１は受信したストリームを画像音声にデコードして表示する。
【００１５】
また、各機器は、機器のカテゴリの情報や機器個別ＩＤを格納したコンフィグレーションＲＯＭ（図示省略）を内蔵しており、ＩＥＥＥ１３９４インタフェース１５、１６、１７を介して、他の機器のコンフィグレーションＲＯＭから、その機器のカテゴリの情報や機器個別ＩＤを読み出すことが可能である。
【００１６】
また、各機器は、ＩＥＥＥ１３９４インタフェース１５、１６、１７を介して、ＡＶＣプロトコルに規定されているコマンドの送受信によって、それぞれの動作状態を相互に把握することが可能である。なお、ＩＥＥＥ１３９４インタフェース１５、１６、１７を有するＡＶ機器は、規格上、ＡＶＣプロトコル（あるいはＡＶＣコマンドセット）の実装が必須である。また、機器のカテゴリの情報や機器個別ＩＤ、動作状態を把握するためのコマンドなどは、アシンクロナス伝送で行われ、接続中はいつでも伝送することが可能である。
【００１７】
このように、機器の個別認識や動作状態の認知によって、ＴＶ１１に内蔵されているマイクロコンピュータ（図示省略）は、各機器（ＢＤレコーダ／プレーヤ１２、Ｄ−ＶＨＳレコーダ／プレーヤ１３、ＨＤＤレコーダ／プレーヤ１４）が記録状態又は再生状態にあることを特定することが可能であり、各機器が記録状態又は再生状態にある期間をＴＶ１１内蔵の時計（図示省略）を用いて計測することが可能である。さらに、各機器が記録状態又は再生状態にある期間の長さの値（ＴＶ１１内蔵の時計で計測された時間の値）をＴＶ１１内蔵の不揮発性メモリ（図示省略）に保存したり、読み出したりすることも可能である。なお、上述のＩＥＥＥ１３９４規格に基づく各機能は、昨今のデジタル放送チューナ内蔵のテレビ受像機において、既に必須の機能となっている。
【００１８】
次に、本発明の第１の実施の形態における動作の一例について説明する。図３及び図４のフローチャートには、本発明の第１の実施の形態における画像音声記録再生システムの制御装置（ＴＶ１１）のマイクロコンピュータが行う処理の一例が図示されている。
【００１９】
図３において、ＴＶ１１は、一定時間ごとの割り込み処理として、図４に図示されている機器管理処理を機器ごとに開始／終了する（ステップＳ３０１〜Ｓ３０Ｎ）。ただし、図３において、“Ｎ”は被制御装置の台数である。すなわち、例えば割り込み処理の間隔（割り込み時間）を１秒とし、ＴＶ１１は１秒ごとに割り込み処理を開始して、各被制御装置（ＢＤレコーダ／プレーヤ１２、Ｄ−ＶＨＳレコーダ／プレーヤ１３、ＨＤＤレコーダ／プレーヤ１４）に係る機器管理処理（図４に図示されている処理）を実行する。
【００２０】
なお、上記では一例として、各機器に係る機器管理処理の割り込み時間を１秒としているが、任意の時間を設定することが可能である。例えば、機器の記録再生時間を使用者に提示する際には、後述の図２や図６に図示されているように『時間』の単位で通知することが分かりやすいため、これに応じて、割り込み時間は１時間程度までの上限で任意に設定できるようにすることが望ましい。
【００２１】
また、図４には、図３の各ステップＳ３０１〜Ｓ３０Ｎで行われる機器管理処理の詳細が図示されている。図４では、機器管理処理の対象となる機器（対象機器）が選択され、その選択された機器に対する処理が行われる。
【００２２】
図４において、まず機器管理処理の対象機器の状態をＡＶＣプロトコルの伝送により検出し、記録状態又は再生状態か否かを判断する（ステップＳ４０１）。対象機器が記録状態又は再生状態でなければ、機器管理処理は終了となる。一方、対象機器が記録状態又は再生状態の場合には、自身が実装する不揮発性メモリから、その対象機器の記録状態又は再生状態の期間の累計を示す積算値を読み出すとともに（ステップＳ４０２）、その対象機器の記録状態又は再生状態の期間を計測する時刻のカウントアップを開始する（ステップＳ４０３）。なお、対象機器が停止状態となったか否かの監視も行われ（ステップＳ４０４）、対象機器が停止状態となるまで、ステップＳ４０３における時刻のカウントアップは継続される。対象機器が停止状態となった場合には、ステップＳ４０３における時刻のカウント値が、ステップＳ４０２で読み出された積算値に加算される（ステップＳ４０５）。なお、この加算結果は、対象機器の新たな積算値となる。
【００２３】
次に、ステップＳ４０５で生成された新たな積算値に関して、所定の設定値との比較が行われる（ステップＳ４０６）。このステップＳ４０６の比較処理において、新たな積算値が所定の設定値を超えた場合には、例えば図２に図示されているように、新たな積算値が所定の設定値を超えた旨をテレビジョン画面に表示する（ステップＳ４０７）。
【００２４】
図２には、本発明の第１の実施の形態における画像音声記録再生システムの制御装置（ＴＶ１１）のテレビジョン画面２０１の一例が図示されている。なお、図２には、Ｄ−ＶＨＳレコーダ／プレーヤ１３（Ｄ−ＶＨＳ＃１）における記録再生時間が所定の設定値（図２では２０００時間）を超えた場合に、『Ｄ−ＶＨＳ＃１の記録再生時間が２０００時間を超えました。ヘッドの交換などのメンテナンスをお薦めします。』というメッセージ２０２がテレビジョン画面２０１に表示されている状態が図示されている。図２に図示されているメッセージ２０２には、記録再生時間（記録処理又は再生処理を行った経過時間）に加えて、さらに使用者にメンテナンスへの注意を喚起させる情報が含まれており、このメッセージが字幕によってテレビジョン画面２０１の下部に表示されているが、メッセージ２０２の内容や表示の態様は特に限定されるものではなく、任意に設定可能である。
【００２５】
そして、新たな積算値が所定の設定値を超えているか否かを問わず、ステップＳ４０５で得られた加算結果は、新たな積算値として例えば不揮発性メモリに書き込まれて保存される（ステップＳ４１０）。なお、ステップＳ４０７で、新たな積算値（すなわち、記録再生時間）が所定の設定値を超えた旨を報知した場合には、例えば使用者が対象機器のメンテナンスを施した後、使用者は累積された時間情報（すなわち積算値）をクリアする旨を操作入力できるようにし（ステップＳ４０８）、使用者によって積算値のクリア要求が入力された場合には、不揮発性メモリ内の積算値をクリア（例えば、積算値を初期値に戻す）する（ステップＳ４０９）ことができるようにしてもよい。
【００２６】
なお、機器ごとの設定時間（すなわち、ステップＳ４０６の比較処理において参照される所定の設定値）は、商品の出荷時にあらかじめ定められていてもよく、使用者が自ら設定できるようにしてもよい。また、機器のカテゴリごとにその機器の一般的なメンテナンス間隔の値が設定時間としてあらかじめ定められてもよい。例えば、その機器のカテゴリがＶＴＲ（Video Tape Recorder：ビデオテープレコーダ）であれば、一般的なヘッド寿命３０００時間を所定の設定値としてマイクロコンピュータのプログラム内に設定しておくことで、記録再生時間がヘッド寿命を超えた場合に、使用者に対して注意を喚起するメッセージ報知できるようになる。
【００２７】
＜第２の実施の形態＞
次に、本発明の第２の実施の形態について説明する。なお、本発明の第２の実施の形態におけるシステム構成は図１と同様であり、本発明の第２の実施の形態においても図１を参照しながら説明する。
【００２８】
本発明の第２の実施の形態では、上述の本発明の第１の実施の形態と同様に、制御装置（ＴＶ１１）が各被制御装置（ＢＤレコーダ／プレーヤ１２、Ｄ−ＶＨＳレコーダ／プレーヤ１３、ＨＤＤレコーダ／プレーヤ１４）に対して機器管理処理を行う。以下、図５を参照しながら、ＴＶ１１が各機器に対して行う機器管理処理の詳細について説明する。
【００２９】
図５のフローチャートには、本発明の第２の実施の形態における画像音声記録再生システムの制御装置で行われる各機器に対する機器管理処理の一例が図示されている。図５のステップＳ５０１〜Ｓ５０５では、図４のステップＳ４０１〜Ｓ４０５と同様に、対象機器が記録状態又は再生状態となっている時間を計測して、累計の記録再生時間（積算値とカウント値との積算によって生成される新たな積算値）を取得する処理が行われる。
【００３０】
次に、ステップＳ５０５で生成された新たな積算値に関して、所定の設定値にＭ（Ｍは正の整数）を乗算した値との比較が行われる（ステップＳ５０６）。なお、このＭの値は、対象機器ごとに積算値と共に不揮発性メモリ（図示省略）に保存、管理されている。このステップＳ５０６の比較処理において、新たな積算値が所定の設定値×Ｍを超えた場合には、例えば図６に図示されているように、新たな積算値が所定の設定値×Ｍを超えた旨をテレビジョン画面に表示する（ステップＳ５０７）。また同時に、新たな積算値が所定の設定値×Ｍを超えた場合には、Ｍの値が１つインクリメントされて、ＴＶ１１の不揮発性メモリ（図示省略）に保存される。
【００３１】
図６には、本発明の第２の実施の形態における画像音声記録再生システムの制御装置（ＴＶ１１）のテレビジョン画面６０１の一例が図示されている。なお、図６には、Ｄ−ＶＨＳレコーダ／プレーヤ１３（Ｄ−ＶＨＳ＃１）における記録再生時間が所定の設定値のＭ倍（図６では５００時間）を超えた場合に、『Ｄ−ＶＨＳ＃１の記録再生時間が５００時間を超えました。』というメッセージ６０２がテレビジョン画面６０１に表示されている状態が図示されている。なお、このときテレビジョン画面６０１に表示されるメッセージ６０２の内容や表示の態様は特に限定されるものではなく、任意に設定可能である。
【００３２】
そして、新たな積算値が所定の設定値を超えているか否かを問わず、ステップＳ５０５で得られた加算結果は、新たな積算値として例えば不揮発性メモリに書き込まれて保存される（ステップＳ５１０）。なお、ステップＳ５０７で、新たな積算値（すなわち、記録再生時間）が所定の設定値のＭ倍を超えた旨を報知した場合には、例えば使用者が対象機器のメンテナンスを施した後、使用者は累積された時間情報（すなわち積算値）をクリアする旨を操作入力できるようにし（ステップＳ５０８）、使用者によって積算値のクリア要求が入力された場合には、不揮発性メモリ内の積算値及びＭの値をクリア（例えば、積算値及びＭの値を初期値に戻す）する（ステップＳ５０９）ことができるようにしてもよい。
【００３３】
なお、本発明の第２の実施の形態においても、機器ごとの設定時間（すなわち、ステップＳ５０６の比較処理において参照される所定の設定値）は、商品の出荷時にあらかじめ定められていてもよく、使用者が自ら設定できるようにしてもよい。また、機器のカテゴリごとにその機器の寿命の長さに応じて、設定時間があらかじめ定められてもよい。例えば、寿命の短いＶＴＲでは、設定時間として５０時間が設定され、寿命の長いブルーレイレコーダでは、設定時間として５００時間が設定されるようにしてもよい。これにより、本発明の第１の実施の形態に比べて、一定の記録再生時間の経過ごとに、一定の記録再生時間が経過した旨を報知することで、使用者に唐突な印象を与えずに機器の状態を知らせることが可能となり、使用者は、各機器の消耗部品の寿命を予測してメンテナンスを行うことが可能となる。
【００３４】
なお、制御装置には、本発明の第１及び第２の実施の形態に係る機能のいずれか一方が実装されていてもよく、また、両方が実装されていてもよい。また、使用者が、例えばテレビジョン受像機の設置時や、画像音声レコーダ／プレーヤ機器の設置時にＩＥＥＥ１３９４インタフェースの接続を初めて行った場合に、どちらの機能を使用するかを選択できるようにしてもよい。
【産業上の利用可能性】
【００３５】
本発明は、画像音声記録再生装置や画像音声再生装置などのＡＶ機器の部品交換時期を、使用者が容易に把握できるようにするという効果を有しており、ＩＥＥＥ１３９４インタフェースを介して接続されたＡＶ機器ネットワークに関する技術に適用可能である。
【図面の簡単な説明】
【００３６】
【図１】本発明の記録再生または再生装置の機器管理システムの構成を示す構成図である。
【図２】本発明の第１の実施の形態における画像音声記録再生システムの制御装置の表示画面の一例を示す図である。
【図３】本発明の第１の実施の形態における画像音声記録再生システムの制御装置で行われる割り込み処理の一例を示すフローチャートである。
【図４】本発明の第１の実施の形態における画像音声記録再生システムの制御装置で行われる各機器に対する機器管理処理の一例を示すフローチャートである。
【図５】本発明の第２の実施の形態における画像音声記録再生システムの制御装置で行われる各機器に対する機器管理処理の一例を示すフローチャートである。
【図６】本発明の第２の実施の形態における画像音声記録再生システムの制御装置の表示画面の一例を示す図である。
【符号の説明】
【００３７】
１１  ＴＶ（テレビジョン受像機、制御装置）
１２  ＢＤレコーダ／プレーヤ（被制御装置）
１３  Ｄ−ＶＨＳレコーダ／プレーヤ（被制御装置）
１４  ＨＤＤレコーダ／プレーヤ（被制御装置）
１５、１６、１７  ＩＥＥＥ１３９４インタフェース
２０１、６０１  ディスプレイ画面
２０２、６０２  メッセージ
【図１】
2008146768.tif 000003
【図２】
2008146768.tif 000004
【図３】
2008146768.tif 000005
【図４】
2008146768.tif 000006
【図５】
2008146768.tif 000007
【図６】
2008146768.tif 000008